(57)【要約】【課題】手軽に、効果的に、且つ確実に、液状の薬剤等を用いて洗髪及び頭皮のマッサージを行うことができるマッサージ装置を提供すること。【解決手段】ケース２Ａと枠体８と往復駆動手段１２とを有して構成される駆動部としてのマッサージ装置本体２と、可撓な材質から成る基板４に複数の突起５，６，７を突出して構成した施療部３とを有し、前記枠体８に前記基板４が着脱自在に保持され、この基板４の周囲が前記マッサージ装置本体２に対して位置関係が固定された状態で、このマッサージ装置本体２により前記基板４をその面と交差する方向に撓ませて前記突起５，６，７を繰り返し起倒させることで、頭皮Ｓをマッサージするマッサージ装置１において、前記基板４に設けられた出口開口２６に液体Ｌの供給手段２７を接続したことで、液体Ｌを頭皮Ｓに供給しながら頭皮Ｓのマッサージ等を効果的に且つ手軽に行うことができる。【選択図】図１
2009028173.tif 000002
【特許請求の範囲】
【請求項１】
駆動部と、この駆動部によって動作する施療部とを有し、前記駆動部が、ケースと、前記施療部の基板の周縁を前記駆動部に対する位置関係が固定された状態で着脱自在に保持する枠体と、前記基板の面と交差する方向にこの基板を撓ませる往復駆動手段とを有して構成され、前記施療部が、その周縁の前記駆動部に対する位置関係が固定された状態で前記枠体に保持されると共に可撓性を有する材質から成る前記基板と、この基板に突出して設けられた複数の突起とを有して構成されるマッサージ装置において、
前記施療部の基板又は突起に出口開口を設けると共に、この出口開口に液体の供給手段を接続したことを特徴とするマッサージ装置。
【請求項２】
前記供給手段を前記ケースに内蔵することを特徴とする請求項１記載のマッサージ装置。
【請求項３】
前記供給手段の少なくとも一部を前記ケースの外側に別体に設けることを特徴とする請求項１記載のマッサージ装置。
【請求項４】
前記駆動部に設けられた往復駆動手段を構成する駆動源によりポンプを駆動することを特徴とする請求項２記載のマッサージ装置。
【請求項５】
前記基板又は前記突起に入口開口を設けると共に、この入口開口に前記液体の回収手段を接続したことを特徴とする請求項１〜４のいずれか１項に記載のマッサージ装置。
【発明の詳細な説明】
【技術分野】
【０００１】
本発明は、頭皮等のマッサージや揉み出し洗い等に使用するマッサージ装置に関するものである。
【背景技術】
【０００２】
従来、この種のマッサージ装置としては、例えば、モータを内蔵したケーシングに弾性部材を介して振動ヘッドを取り付け、この振動ヘッド内に前記モータのモータ軸を突設させ、このモータ軸に振動子を偏心させた状態で取り付け、更に、前記振動ヘッドの一側面に柔軟物質から成るブラシを取り付けたマッサージ兼電動洗髪ブラシが知られている（例えば、特許文献１参照。）。このマッサージ兼電動洗髪ブラシにおいては、前記ブラシは円盤状に形成された基板としてのブラシ本体部と、該ブラシ本体部の一側面に多数突設された突起としての針状体片とから成る。そして、このマッサージ兼電動洗髪ブラシを使用する場合、使用者は、まずケーシングを把持して前記ブラシを頭部に押し当て、前記モータを作動させることで、前記振動ヘッドに内蔵されている振動子の偏心回転によって生じる振動が、前記振動ヘッド及びブラシを介して頭皮に伝達される。そして、前記ブラシは柔軟物質から構成されているので、頭皮を傷付けることなく毛穴の脂垢を取り除き、同時にマッサージを行うというものである。
【特許文献１】特開２００１−２５８９７４号公報
【発明の開示】
【発明が解決しようとする課題】
【０００３】
しかしながら、このようなマッサージ装置は、頭皮のマッサージ等を行うとき、前記振動ヘッドに内蔵されている振動子の偏心回転によって生じる振動が、前記振動ヘッド及び柔軟物質から構成されている前記ブラシを介して頭皮に伝達されるというものであるが、前記ブラシは頭皮に対して単純に振動しているだけなので、頭皮のマッサージを十分に行うことができないばかりでなく、頭皮の汚れも十分落とすことができないという問題があった。
【０００４】
このような問題を解決するものとして、本出願人はマッサージ装置を提案している（特願２００６−５３７３８）。これは、駆動部と、この駆動部によって動作する施療部とを有し、前記駆動部に、ケースと、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成され、マッサージの際に、前記往復駆動手段によって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。そして特に、前記突起の形状を、幅狭な先端側と幅広の基端側を有すると共に湾曲凸状の対向面を有するように形成することで、指先で行うようなマッサージ等を行うことができるというものである。
【０００５】
しかしながら、洗髪を行う場合、髪や頭皮を洗浄するために、髪や頭皮に洗髪用シャンプーを塗った後、前記マッサージ装置を把持して前記施療部を頭皮に押し当てる必要があったので、前記マッサージ装置を使用するのに若干の手間が必要であった。また、髪に塗った洗髪用シャンプーが付いたままの滑りやすい手で前記マッサージ装置を持つと、このマッサージ装置を落として破損させてしまったり、最悪の場合使用者が怪我をしてしまったりする虞があった。一方、頭皮のマッサージを行う場合には、育毛剤等の液状の薬剤が使用されることがあるが、洗髪を行う場合と同様に、頭皮に液状の薬剤を塗った後、前記マッサージ装置を把持して前記施療部を頭皮に押し当てる必要があったので、前記マッサージ装置を使用するのに若干の手間が必要であった。また、頭皮に塗った液状の薬剤が付いたままの滑りやすい手で前記マッサージ装置を持つと、このマッサージ装置を落として破損させてしまったり、最悪の場合使用者が怪我をしてしまったりする虞があった。
【０００６】
本発明は以上の問題点を解決し、手軽に、効果的に、且つ確実に洗髪及び頭皮のマッサージを行うことができるマッサージ装置を提供することを目的とする。
【課題を解決するための手段】
【０００７】
請求項１の発明は、駆動部と、この駆動部によって動作する施療部とを有し、前記駆動部が、ケースと、前記施療部の基板の周縁を前記駆動部に対する位置関係が固定された状態で着脱自在に保持する枠体と、前記基板の面と交差する方向にこの基板を撓ませる往復駆動手段とを有して構成され、前記施療部が、その周縁の前記駆動部に対する位置関係が固定された状態で前記枠体に保持されると共に可撓性を有する材質から成る前記基板と、この基板に突出して設けられた複数の突起とを有して構成されるマッサージ装置において、前記施療部の基板又は突起に出口開口を設けると共に、この出口開口に液体の供給手段を接続したことを特徴とするマッサージ装置である。
【０００８】
また、請求項２の発明は、前記供給手段を前記ケースに内蔵することを特徴とする請求項１記載のマッサージ装置である。
【０００９】
また、請求項３の発明は、前記供給手段の少なくとも一部を前記ケースの外側に別体に設けることを特徴とする請求項１記載のマッサージ装置である。
【００１０】
また、請求項４の発明は、前記駆動部に設けられた往復駆動手段を構成する駆動源によりポンプを駆動することを特徴とする請求項２記載のマッサージ装置である。
【００１１】
更に、請求項５の発明は、前記基板又は前記突起に入口開口を設けると共に、この入口開口に前記液体の回収手段を接続したことを特徴とする請求項１〜４のいずれか１項に記載のマッサージ装置である。
【発明の効果】
【００１２】
請求項１の発明によれば、前記供給手段によってシャンプーや育毛剤等の液体が前記施療部の出口開口から頭皮等に供給される。従って、使用者が前記液体を髪や頭皮に塗りつけてから前記マッサージ装置を使用する必要がなく、手軽に前記液体を髪や頭皮に供給して洗髪やマッサージを行うことができる。また、この際、前記駆動部を把持する手に前記液体が付着しないので、マッサージ装置を滑らせて落とす虞を減ずることができる。
【００１３】
請求項２の発明によれば、前記供給手段をケースに内蔵することで、マッサージ装置に供給手段等全てのものをコンパクトに納めることができる。
【００１４】
請求項３の発明によれば、前記供給手段を前記ケースの外側に別体に設けることで、マッサージ装置の駆動部の大型化を極力抑えつつ、前記供給手段の能力を任意に設定することができる。
【００１５】
請求項４の発明によれば、前記施療部と前記ポンプとを同じ駆動源によって駆動することで装置の小型化を図ることができる。
【００１６】
請求項５の発明によれば、頭皮に供給された液体を前記入口開口から回収手段によって回収することで、多すぎる液体が顔等に流れ落ちるのを防止することができる。
【発明を実施するための最良の形態】
【００１７】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図５は実施例１を示している。なお、本例においては、図１の姿勢を基準として上下を規定する。１は本発明のマッサージ装置である。このマッサージ装置１は、駆動部としてのマッサージ装置本体２と、このマッサージ装置本体２の下部側に着脱自在に保持される施療部３とを有して構成されている。そして、この施療部３は、基板４と、この基板４の下面と交差する方向である下方側に突出して一体に設けられた３種類の突起５，６，７とで構成されている。また、前記基板４は、底面視で楕円状であって、可撓性及び弾性を有するエラストマーによって形成されている。そして、前記基板４の縁４Ａは、前記マッサージ装置本体２の下縁側に固定されている。なお、ここで言う「固定」とは、固着或いは多少の動きを許容して接続される状態を含むものであり、本実施例では、前記基板４の縁４Ａを前記マッサージ装置本体２の下面に沿って形成した溝よりなる固定用の枠体８に嵌合させることで、両者を全周にわたって着脱自在に接続している。
【００１９】
前記マッサージ装置本体２は、底面側が開口すると共に片手で把握可能な大きさを有するケース２Ａと、このケース２Ａの開口した底面側を閉塞する底面部２Ｂとを有して構成されており、この底面部２Ｂは、底板９と覆い体１１とを有する。そして、前記底板９は、底面視で楕円状に形成されており、前記ケース２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を液密且つ気密に封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して第一の減速出力軸１４Ａに接続されるクランク機構１５と、このクランク機構１５の偏心軸１５Ａに対して一側が連結されると共に前記基板４の上面のほぼ中央に他側が連結されたコンロッド１６を備えている。なお、前記覆い体１１のほぼ中央には接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記マッサージ装置本体２の内部には、前記モータ１３に電力を供給するための電池１８が設けられていると共に、前記マッサージ装置本体２の上面側表面には、前記モータ１３を操作するためのスイッチ１９が設けられている。
【００２０】
前記施療部３について詳述する。前記突起５，６，７は、前記基板４のほぼ中央を上下に通る仮想的な前記中心軸線Ｘを中心として、前記基板４の縁４Ａに沿って配置される楕円状の仮想外側輪Ｏと、その内側に配置されるほぼ円状の仮想内側輪Ｉと、これらの間に配置されるほぼ円状の仮想中間輪Ｍにそれぞれ設けられている。
【００２１】
前記仮想中間輪Ｍに沿って相互に間隔をおいて設けられる第一の突起５は、中心軸線Ｘを中心として相互に対向するように複数間隔をおいて設けられている。なお、本例において、前記第一の突起５は、円弧状に三つ並んだ群を軸対称となるように二個所に設けることで、合計六つ設けられている。そして、一方に三つ並んだ群の第一の突起５Ａは、中心軸線Ｘを挟んで他方に三つ並んだ群の対向する第一の突起５Ｂに対向している。そして、前記第一の突起５における前記中心軸線Ｘに面する対向面２０は、その先端２１が先細に形成されると共に、その基端２２に向かって次第に幅Ｗが大きくなるように形成されて前記基板４に一体に接続されていることで、前記対向面２０は、先端２１から基端２２にかけてほぼ三角形状に形成されている。そして、前記対向面２０は、その基端２２側よりも先端２１側が前記中心軸線Ｘからの距離Ｚが長くなるように、湾曲凸状に後退している。なお、前記第一の突起５における前記対向面２０の最大幅は、ほぼ手指の幅程度に形成され、更に、前記対向面２０の最大高さは手指の先から第１関節までの長さにほぼ相当している。
【００２２】
更に、前記第一の突起５は、その対向面２０の左右両側にそれぞれ側面２３を一体に設けたほぼ三角錐状となって突設しており、そして前記第一の突起５は、板状の前記基板４の厚みとほぼ同じ厚みによって凸状に一体成形されたものであり、このために、前記第一の突起５の内部には中空部２４が形成されると共に、この中空部２４の上部には開口部２４Ａが設けられ、この上部開口部２４Ａを介して前記中空部２４が前記基板４の上方、即ちこの基板４と前記底面部２Ｂの間の空間Ｃに連通するようになっている。一方、前記第一の突起５の先端２１寄りには、連通部２５が貫通して形成されており、この連通部２５によって、前記中空部２４と前記第一の突起５の外部とが連通している。
【００２３】
また、前記仮想外側輪Ｏに沿って相互に間隔をおいて設けられる第二の突起６は、先端側がやや細くなっていると共に先端が丸められた棒状（即ち、頂角の小さな円錐状）に形成されており、前記底板９側からの高さ距離Ｈ２が、前記第一の突起５における前記底板９側からの高さ距離Ｈ１よりも常時大きくなるように形成されている。即ち、前記施療部３が図４の状態と図５の状態との間で変形することで、前記第一の突起５が上下に移動したとしても、前記第二の突起６は、その先端が前記第一の突起５の最も下位置となる位置よりも常時下方に位置するように形成されている。また、前記第二の突起６におけるその一本当たりの平面積は、前記第一の突起５の平面積よりも小さく形成されている。なお、複数本の前記第二の突起６からなる群が、底面視で楕円形状の前記基板４における長軸方向の両側それぞれに配置されている。
【００２４】
更に、前記仮想内側輪Ｉに沿って相互に間隔をおいて設けられる第三の突起７は、先端を丸くした四角柱状であって、その前記基板４からの高さＨ３は、前記第一の突起５における前記基板４からの高さＨ１´よりも小さく形成されている。また、前記第三の突起７におけるその１本当たりの平面積は、前記第一の突起５の平面積よりも小さく形成されている。
【００２５】
更に、前記基板４には、その外側にシャンプー等の液体状の洗浄剤を吐出するための、或いは育毛剤等の液体状の薬剤の出口開口２６が設けられている。この出口開口２６は、本実施例では、楕円状に形成された前記基板４の長軸上で且つ中心を挟んでほぼ対称となる位置に、前記基板４の上下を連通するように、前記基板４を貫通して形成されたものである。そして、前記出口開口２６には、液体状の洗浄剤或いは液体状の薬剤（以下、単に液体Ｌと記す）の供給手段２７が接続されている。この供給手段２７は、ケース２Ａ側に内蔵されており、液体Ｌの収容部２８と、この収容部２８に一端が接続される一次通路２９と、この一次通路２９の他端が接続されるポンプ３０と、このポンプ３０に一端が接続されると共に他端が前記マッサージ装置本体２の底板９に形成された貫通孔９Ａに接続される内部二次通路３１と、一端が前記貫通孔９Ａに対して着脱自在に接続されると共に、他端が前記出口開口２６に固定されている、可撓性を有する吐出通路３２とで構成されている。そして、前記本体内二次通路３１と吐出通路３２とで、二次通路３３が構成されている。これによって、前記収容部２８から一次通路２９、ポンプ３０、二次通路３３を経て前記出口開口２６に至る経路が形成される。そして、前記ポンプ３０の作動部３４は、前記減速歯車機構１４から分岐した第二の減速出力軸１４Ｂに接続されて、前記モータ１３の回転力が前記コンロッド１６のみならず、前記作動部３４にも同時に伝達できるようになっている。また、前記吐出通路３２の他端は、複数形成された前記出口開口２６のそれぞれに固定されるように、複数に分岐している。なお、前記作動部３３は、前記ポンプ３０が容積型ポンプの場合は膜やピストン等、非容積型ポンプの場合は遠心ファンや軸流ファン等が用いられる。
【００２６】
前記収容部２８は、前記ケース２Ａの上面側に開口して設けられると共に、その開口部には蓋２８Ａが着脱自在に設けられている。そして、この蓋２８Ａには逆止弁機構２８Ｂを介して前記収容部２８の内外を連通させる通気孔２８Ｃが形成されている。なお、前記蓋２８Ａは、前記収容部２８内の開口部に対して液密に取り付けられる。そして、前記一次通路２９の一端２９Ａは、前記収容部２８の底に形成された貫通孔２８Ｄに接続されていると共に、前記一次通路２９の他端２９Ｂは、前記ポンプ３０の吸引部３０Ａ側に接続されている。また、前記内部二次通路３１の一端３１Ａは、前記ポンプ３０の吐出部３０Ｂ側に接続されていると共に、前記本体内二次通路３１の他端３１Ｂは、前記貫通孔９Ａに接続されている。
【００２７】
次に、上記構成について、その作用を説明する。頭皮Ｓのマッサージを行ったり揉み出し洗いを行ったりする場合、まず使用者は、前記蓋２８Ａを取り外して前記収容部２８内に液体Ｌを収容した後、前記蓋２８Ａを再び取り付ける。そして、前記フック受け部４Ｂとフック１７Ａとを接続し、更には前記基板４の縁４Ａを前記枠体８に嵌合させて図１に示すように取り付ける。更に、前記マッサージ装置本体２を把持し、前記第一及び第二の突起５，６の先端部を前記頭皮Ｓに押し当てて手で保持する。そして、前記スイッチ１９を閉成すると、前記電池１８から電力が給電されることで、前記モータ１３が作動して前記モータ軸１３Ａが回転する。そして、このモータ軸１３Ａの回転に伴い、このモータ軸１３Ａに前記減速歯車機構１４を介して接続された前記クランク機構１５が回転し、このクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４中央が最大振幅箇所となるように、図４に示す下に撓んだ湾曲凸状態と図５に示す上に撓んだ湾曲凹状態との間で変形を繰り返し、その前記最大振幅個所における振幅は、前記クランク機構１５の中心軸から偏心軸１５Ａまでの偏心距離Ｆの２倍（２Ｆ）となる。これにより、主として前記第一の突起５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起７は、前記基板４の撓みによって、前記頭皮Ｓに対して当接と離間を繰り返すことで、前記頭皮Ｓを軽く叩くようにしてマッサージを行うことができる。
【００２８】
そして、このように頭皮Ｓのマッサージ或いは揉み出し洗いを行っている間、前記モータ１３の作動により、第二の減速出力軸１４Ｂを介して前記ポンプ３０の作動部３４が作動して、予め前記収容部２８に収容されていた液体Ｌが、前記一次通路２９を介して前記ポンプ３０の吸引部３０Ａに吸引されると共に、前記液体Ｌが、前記ポンプ３０の吐出部３０Ｂから前記本体内二次通路３１及び吐出通路３２を介して前記出口開口２６より頭皮Ｓに向けて吐出されることで、頭皮Ｓを液体Ｌを用いてマッサージしたり揉み出し洗いしたりすることができる。
【００２９】
なお、前記第二の突起６は、前記基板４の外周付近で且つ楕円形状の前記基板４における長軸方向の両側に形成されているので、前記基板４が撓んだとしても、多少揺動する程度で殆ど動かない。しかしながら、この殆ど動かない第二の突起６自体はマッサージを殆ど行わないものの、この第二の突起６によって前記マッサージ装置本体２と頭皮Ｓとの間隔が保たれることになり、前記施療部３を頭皮Ｓに必要以上に強く押し当ててしまうことが防止される。そして、前記施療部３を頭皮Ｓに必要以上に強く押し当ててしまうと、前記基板４の撓みによる前記第一の突起５の起倒に伴う反作用によって、前記マッサージ装置本体２、ひいてはそれを持つ使用者の手が前記中心軸線Ｘ方向に大きく振動したり、逆に前記施療部３が押し当てられた頭が大きく揺さぶられたりすることになり、前記第一の突起５によるマッサージが良好に行われないが、前記第二の突起６によって前記マッサージ装置本体２と頭皮Ｓとの間隔が保たれることで、前記施療部３が頭皮Ｓに対して必要以上に強く押し当てられず、前記マッサージ装置本体２を持つ使用者の手及び前記施療部３が押し当てられた頭が大きく揺さぶられることがないので、前記第一の突起５によるマッサージが良好に行われることになる。
【００３０】
そして、前記基板４が図４の状態から図５の状態に変形する、すなわち前記基板４が湾曲凸状態から湾曲凹状態に撓むことで、前記第一の突起５が頭皮Ｓに当接した状態で内側に倒れることになり、前記第一の突起５によって前記頭皮Ｓが掴まれるようにマッサージされると同時に、前記液体Ｌがシャンプーである場合、前記頭皮Ｓのみならず髪（図示せず）も洗浄されることになる。この際、前記第一の突起５の前記中心軸線Ｘに対向する対向面２０が、その先端２１側を先細に形成すると共に基端２２側を次第に幅大に形成したほぼ三角形状に形成されていることにより、図４の状態では、前記対向面２０の先端２１よりもやや基端２２寄りの部分が前記頭皮Ｓに柔らかく当たり、それから図５の状態に向かって変形するに従って、順次幅狭になる先端２１側が頭皮Ｓに当たるようになるので、指先で揉むような指圧法のマッサージを行うことができる。更に、前記第一の突起５は、その基端２２側よりも先端２１側が前記中心軸線Ｘから離間するように湾曲凸状に後退していることにより、前記第一の突起５が内側方向に傾斜したり起立したりして前記頭皮Ｓと接触する際に、前記対向面２０が、その基端２２側から先端２１側にかけて頭皮Ｓを滑るように揉むことができる。また、前記第一の突起５は、前記中心軸線Ｘを中心として相互に対向するように複数間隔をおいて設けられていることにより、対向する前記第一の突起５Ａ，５Ｂ相互間での揉み作用もなすことができる。更に、逆に前記基板４が図５の状態から図４の状態に変形する、即ち前記基板が湾曲凹状態から湾曲凸状態に撓む場合でも、前記第一の突起５によって指先のような柔らかいマッサージを行うことができる。
【００３１】
また、前記基板４は、図４に示す下に撓んだ湾曲凸状態と図５に示す上に撓んだ湾曲凹状態との間で変形を繰り返す際、前記基板４と底板９の間の空間Ｃが圧縮、復元を繰り返すことになり、この結果、圧縮時においては前記基板４と底板９の間の空間の空気が前記連通部２５から頭皮Ｓに向けて噴出するので、この空気圧によってもマッサージを行うことができる。
【００３２】
以上のように、前記実施例においては、ケース２Ａと枠体８と往復駆動手段１２とを有して構成される駆動部としてのマッサージ装置本体２と、可撓性を有する材質から成る基板４とこの基板４に突出して設けられた複数の突起５，６，７とを有する施療部３とを有し、前記枠体８に前記基板４が着脱自在に保持され、この基板４の周囲の前記マッサージ装置本体２に対する位置関係が固定された状態で、このマッサージ装置本体２によって前記基板４の面と交差する方向にこの基板４を撓ませて複数の前記突起５，６，７を繰り返し起倒させることで相互に開閉させて、頭皮Ｓをマッサージするマッサージ装置１において、前記基板４に出口開口２６を形成すると共に、この出口開口２６に液体Ｌの供給手段２７を接続したことで、液体Ｌを頭皮Ｓに供給するという工程と頭皮Ｓのマッサージ又は揉み出し洗いを行うという工程を一つにでき、効果的に且つ手軽に頭皮Ｓのマッサージ又は洗浄を行うことができる。
【００３３】
また、前記供給手段２７は、ポンプ３０の吸引部３０Ａ側に、前記液体Ｌの収容部２８に一端が接続された一次通路２９の他端を接続し、吐出部３０Ｂ側に、前記出口開口２６に接続された二次通路３３を構成する本体内二次通路３１の一端を接続したことにより、前記収容部２８に収容された所望の液体Ｌを前記出口開口２６より頭皮Ｓに向けて供給することができる。
【００３４】
また、前記供給手段２７を前記ケース２Ａに内蔵することにより、収容部２８やポンプ３０など全てのものをコンパクトに納めることができる。
【００３５】
しかも、駆動源であるモータ１３のモータ軸１３Ａの回転力が、前記減速歯車機構１４を介して、その減速出力軸１４Ａによって前記コンロッド１６、ひいては前記基板４を駆動するのみならず、第二の減速出力軸１４Ｂによって前記ポンプ３０を駆動するようにしたので、１つの前記モータ１３で前記施療部３及びポンプ３０を駆動でき、装置の小型化を図ることができる。
【実施例２】
【００３６】
以下に他の実施例について説明する。なお、前記実施例１と同一部分には同一符号を付し、その詳細な説明を省略する。
【００３７】
図６は実施例２を示している。この実施例２において、マッサージ装置１０１は、駆動部としてのマッサージ装置本体１０２と、このマッサージ装置本体１０２の下部側に着脱自在に保持される施療部３と、液体Ｌの供給手段１２７を有して構成されている。そして、前記施療部３の基板４の縁４Ａは、前記マッサージ装置本体１０２の下縁側に固定されている。なお、ここで言う「固定」とは、固着或いは多少の動きを許容して接続される状態を含むものであり、本実施例では、前記基板４の縁４Ａを前記マッサージ装置本体１０２の下面に沿って形成した溝よりなる固定用の枠体１０８に嵌合させることで、両者を全周にわたって着脱自在に接続している。
【００３８】
前記マッサージ装置本体１０２は、底面側が開口すると共に片手で把握可能な大きさを有するケース１０２Ａと、このケース１０２Ａの開口した底面側を閉塞する底面部１０２Ｂとを有して構成されており、この底面部１０２Ｂは、底板１０９と覆い体１１とを有する。そして、前記底板１０９は、底面視で楕円状に形成されており、前記ケース１０２Ａの底縁にその外周が固定されていると共に、前記底板１０９の中央部には上下方向に貫通する円形の窓孔１１０が形成されており、この窓孔１１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１１０を液密且つ気密に封ずるように設けられている。そして、前記マッサージ装置本体１０２の内部には、前記基板４の中央部を上下方向に往復動させる往復駆動手段１１２が設けられている。この往復駆動手段１１２は、前記底板１０９上に設けられる駆動源としてのモータ１３と、このモータ１３のモータ軸１３Ａに減速歯車機構１１４を介して減速出力軸１１４Ａに接続されるクランク機構１５と、このクランク機構１５の偏心軸１５Ａに対して一側が連結されると共に前記基板４の上面のほぼ中央に他側が連結されたコンロッド１６を備えている。なお、前記覆い体１１のほぼ中央には接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記マッサージ装置本体１０２の内部には、前記モータ１３に電力を供給するための電池１８が設けられていると共に、前記マッサージ装置本体１０２の上面側表面には、前記モータ１３を操作するためのスイッチ１９及び後述する電磁弁１４３を操作するためのスイッチ１９Ａが設けられている。
【００３９】
そして、前記基板４に形成された前記出口開口２６には、前記供給手段１２７が接続されている。この供給手段１２７は、その一部が前記ケース１０２Ａ内に設けられていると共に、一部が前記ケース１０２Ａ外に前記マッサージ装置本体１０２とは独立して設けられている。そして、前記供給手段１２７は、ポンプ１２８と、一端１２９Ａがこのポンプ１２８の吐出部１２８Ｂに接続される本体外一次通路１２９と、一端１３０Ａがこの本体外一次通路１２９の他端１２９Ｂに接続される本体内一次通路１３０と、この本体内一次通路１３０の他端１３０Ｂが接続される液体Ｌの収容部１３１と、一端１３２Ａがこの収容部１３１に接続されると共に他端１３２Ｂが前記マッサージ装置本体１０２の底板１０９に形成された貫通孔１０９Ａに接続される本体内二次通路１３２と、一端１３３Ａが前記貫通孔１０９Ａに対して着脱自在に接続されると共に、他端１３３Ｂが前記出口開口２６に固定されている、可撓性を有する吐出通路１３３とで構成されている。そして、前記本体外一次通路１２９と本体内一次通路１３０とで一次通路１３４が構成されていると共に、前記本体内二次通路１３２と吐出通路１３３とで二次通路１３５が構成されている。これによって、前記ポンプ１２８から一次通路１３４、収容部１３１、二次通路１３５を経て前記出口開口２６に至る経路が形成される。そして、前記ポンプ１２８の作動部１３６は、モータ１３７の回転軸に接続されており、このモータ１３７には、制御回路１３８を介して電池や商用電源などの電源１３９が接続されている。なお、前記ポンプ１２８、本体外一次通路１２９の一部、モータ１３７、制御回路１３８及び電源１３９は、前記ケース１０２Ａとは別体のケース１４０に収容されている。また、前記制御回路１３８には操作部１４１が接続されていると共に、この操作部１４１は、前記ケース１４０上に設けられている。一方、前記本体内一次通路１３０、収容部１３１及び本体内二次通路１３２は、前記ケース１０２Ａ内に設けられている。そして、前記本体外一次通路１２９の途中には、定圧弁１４２が設けられている。また、前記収容部１３１は、前記ケース１０２Ａの上面側に開口して設けられ、この開口部に蓋１３１Ａが液密且つ気密に取り付けられていることで内部を加圧状態にすることが可能である。また、前記収容部１３１の側部には、入口接続部１３１Ｂが形成されており、この入口接続部１３１Ｂに、前記本体内一次通路１３０の他端１３０Ｂが接続されていると共に、前記収容部１３１の底部に出口接続部１３１Ｃが形成されており、この出口接続部１３１Ｃに、前記本体内二次通路１３２の一端１３２Ａが接続されている。また、前記本体内二次通路１３２の途中には、電磁弁１４３が設けられている。なお、前記吐出通路１３３の他端１３３Ｂは、複数形成された前記出口開口２６のそれぞれに固定されるように、複数に分岐している。また、前記本体外一次通路１２９の他端１２９Ｂは、接続部１５２に固定されていると共に、前記本体内一次通路１３０の一端１３０Ａは、接続受部１５３に固定されている。そして、前記接続部１５２は前記接続受部１５３に対して着脱自在に接続される。そして、前記接続部１５２を前記接続受部１５３に接続した際に、前記本体外一次通路１２９の他端１２９Ｂと前記本体内一次通路１３０の一端１３０Ａとが連通する。
【００４０】
次に、上記構成について、その作用を説明する。なお、前記施療部３による頭皮Ｓのマッサージ動作については、上記実施例１と共通するので、その説明を省略する。頭皮Ｓのマッサージを行ったり揉み出し洗いを行ったりする場合、まず使用者は、前記蓋１３１Ａを取り外して前記収容部１３１内に液体Ｌを収容した後、前記蓋１３１Ａを再び取り付ける。そして、前記接続部１５２を前記接続受部１５３に接続する。そして、使用者が前記操作部１４１を操作したことで、前記電源１３９から供給される電力によって前記ポンプ１２８が作動している場合、頭皮Ｓのマッサージ或いは揉み出し洗いを行っている間、前記ポンプ１２８の吐出部１２８Ｂから前記本体外一次通路１２９及び本体内一次通路１３０を経て、圧縮空気が前記収容部１３１内に送られる。そして、前記収容部１３１内が所定の圧力に達すると、前記定圧弁１４２によって圧縮空気が大気中に排出されることで、前記収容部１３１内が所定の圧力に保たれる。そして、前記スイッチ１９Ａを操作して前記電磁弁１４３を作動させ、前記本体内二次通路１３２を連通させることで、前記収容部１３１内の液体Ｌが圧縮空気によって前記出口接続部１３１Ｃから押し出され、前記二次通路１３５を経て前記出口開口１２６から頭皮Ｓに供給される。このように、前記出口開口２６より頭皮Ｓに向けて液体Ｌを供給することで、頭皮Ｓを液体Ｌを用いてマッサージしたり揉み出し洗いしたりすることができる。なお、液体Ｌの頭皮Ｓへの供給が不要な場合、前記スイッチ１９Ａを全く操作しない、或いは一度操作された前記スイッチ１９Ａを再度操作することで、前記電磁弁１４３が前記本体内二次通路１３２を遮断した状態とすればよい。
【００４１】
なお、本実施例では、前記供給手段１２７が前記ケース１０２Ａの外側に別体に設けられているので、前記マッサージ装置本体１０２、即ち使用者が把持する部分の大型化を極量抑えることができるばかりでなく、前記マッサージ装置本体１０２の大きさ等によって制限を受けることなく、前記供給手段１２７の能力を任意に設定することができる。
【００４２】
以上のように、本実施例では、実施例１の効果の他に、前記供給手段１２７を前記ケース１０２Ａの外側に別体に設けることにより、マッサージ装置１０１のうち、使用者が把持する駆動部としてのマッサージ装置本体１０２を大型化させることなく、液体Ｌを供給する供給手段１２７の能力（≒大きさ）を前記ケース１０２Ａの大きさにかかわらず大きくすることができる。
【実施例３】
【００４３】
図７〜９は実施例３を示している。この実施例３において、マッサージ装置２０１は、駆動部としてのマッサージ装置本体２０２と、このマッサージ装置本体２０２の下部側に着脱自在に保持される施療部２０３と、液体Ｌの供給手段２２７と、回収手段２４４とを有して構成されている。そして、前記施療部２０３は、基板２０４と、この基板２０４の下面と交差する方向である下方側に突出して一体に設けられた３種類の突起２０５，２０６，２０７とで構成されている。そして、前記基板２０４の縁２０４Ａは、前記マッサージ装置本体２０２の下縁側に固定されている。なお、ここで言う「固定」とは、固着或いは多少の動きを許容して接続される状態を含むものであり、本実施例では、前記基板２０４の縁２０４Ａを前記マッサージ装置本体２０２の下面に沿って形成した溝よりなる固定用の枠体２０８に嵌合させることで、両者を全周にわたって着脱自在に接続している。
【００４４】
前記マッサージ装置本体２０２は、底面側が開口すると共に片手で把握可能な大きさを有するケース２０２Ａと、このケース２０２Ａの開口した底面側を閉塞する底面部２０２Ｂとを有して構成されており、この底面部２０２Ｂは、底板２０９と覆い体１１とを有する。そして、前記底板２０９は、底面視で楕円状に形成されており、前記ケース２０２Ａの底縁にその外周が固定されていると共に、前記底板２０９の中央部には上下方向に貫通する円形の窓孔２１０が形成されており、この窓孔２１０を覆って伸縮可能な前記覆い体１１が設けられている。この覆い体１１は、例えばゴム或いは合成ゴムやエラストマー等の可撓性を有する材質から成る蛇腹状の膜によって、前記窓孔２１０を液密且つ気密に封ずるように設けられている。そして、前記マッサージ装置本体２０２の内部には、前記基板２０４の中央部を上下方向に往復動させる往復駆動手段１１２が設けられている。この往復駆動手段１１２は、前記底板２０９上に設けられる駆動源としてのモータ１３と、このモータ１３のモータ軸１３Ａに減速歯車機構１１４を介して減速出力軸１１４Ａに接続されるクランク機構１５と、このクランク機構１５の偏心軸１５Ａに対して一側が連結されると共に前記基板２０４の上面のほぼ中央に他側が連結されたコンロッド１６を備えている。なお、前記覆い体１１のほぼ中央には接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板２０４中央の上面に設けられたフック受け部２０４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部２０４Ｂが設けられた位置が、前記基板２０４における最大振幅部となり、その振幅は、前記クランク機構１５の中心軸から前記偏心軸１５Ａまでの偏心距離Ｆの２倍（２Ｆ）となる。また、前記フック受け部２０４Ｂ及び接続中継部材１７を通って上下方向に仮想的な中心軸線Ｘが形成される。また、前記マッサージ装置本体２０２の内部には、前記モータ１３に電力を供給するための電池１８が設けられていると共に、前記マッサージ装置本体２の上面側表面には、前記モータ１３を操作するためのスイッチ１９及び後述する電磁弁１４３を操作するためのスイッチ１９Ａが設けられている。
【００４５】
前記施療部２０３について詳述する。前記突起２０５，２０６，２０７は、前記基板２０４のほぼ中央を上下に通る仮想的な前記中心軸線Ｘを中心として、前記基板２０４の縁２０４Ａに沿って配置される楕円状の仮想外側輪Ｏと、その内側に配置されるほぼ円状の仮想内側輪Ｉと、これらの間に配置されるほぼ円状の仮想中間輪Ｍにそれぞれ設けられている。
【００４６】
前記仮想中間輪Ｍに沿って相互に間隔をおいて設けられる第一の突起２０５は、中心軸線Ｘを中心として相互に対向するように複数間隔をおいて設けられている。なお、本例において、前記第一の突起２０５は、円弧状に三つ並んだ群を軸対称となるように二個所に設けることで、合計六つ設けられている。そして、前記第一の突起２０５における前記中心軸線Ｘに面する対向面２２０は、その先端２２１が先細に形成されると共に、その基端２２２に向かって次第に幅Ｗが大きくなるように形成されて前記基板２０４に一体に接続されていることで、前記対向面２２０は、先端２２１から基端２２２にかけてほぼ三角形状に形成されている。そして、前記対向面２２０は、その基端２２２側よりも先端２２１側が前記中心軸線Ｘからの距離Ｚが長くなるように、湾曲凸状に後退している。なお、前記第一の突起２０５における前記対向面２２０の最大幅は、ほぼ手指の幅程度に形成され、更に、前記対向面２２０の最大高さは手指の先から第１関節までの長さにほぼ相当している。更に、前記第一の突起２０５は、その対向面２２０の左右両側にそれぞれ側面２２３を一体に設けたほぼ三角錐状となって突設しており、そして前記第一の突起２０５は、板状の前記基板２０４の厚みとほぼ同じ厚みによって凸状に一体成形されている。一方、前記第一の突起２０５の先端２２１寄りには、入口開口２２５が貫通して形成されており、この入口開口２２５に後述する吸引通路２４５の一端２４５Ａが固定されている。
【００４７】
また、前記仮想外側輪Ｏに沿って相互に間隔をおいて設けられる第二の突起２０６は、先端側がやや細くなっていると共に先端が丸められた棒状（即ち、頂角の小さな円錐状）に形成されており、前記底板２０９側からの高さ距離Ｈ２が、前記第一の突起２０５における前記底板２０９側からの高さ距離Ｈ１よりも常時大きくなるように形成されている。即ち、前記基板２０４が湾曲凸状態と湾曲凹状態との間で変形することで、前記第一の突起２０５が上下に移動したとしても、前記第二の突起２０６は、その先端が前記第一の突起２０５の最も下位置となる位置よりも常時下方に位置するように形成されている。また、前記第二の突起２０６におけるその一本当たりの平面積は、前記第一の突起２０５の平面積よりも小さく形成されている。なお、複数本の前記第二の突起２０６からなる群が、底面視で楕円形状の前記基板２０４における長軸方向の両側それぞれに配置されている。
【００４８】
更に、前記仮想内側輪Ｉに沿って相互に間隔をおいて設けられる第三の突起２０７は、先端を丸くした四角柱状であって、その前記基板２０４からの高さＨ３は、前記第一の突起２０５における前記基板２０４からの高さＨ１´よりも小さく形成されている。また、前記第三の突起２０７におけるその１本当たりの平面積は、前記第一の突起２０５の平面積よりも小さく形成されている。
【００４９】
更に、前記基板２０４には、液体Ｌの出口開口２２６が設けられている。この出口開口２２６は、本実施例では、楕円状に形成された前記基板２０４の長軸上で且つ中心を挟んでほぼ対称となる位置に、前記基板２０４の上下を連通するように、前記基板２０４を貫通して形成されたものである。そして、前記出口開口２２６には、液体Ｌの供給手段２２７が接続されている。この供給手段２２７は、その一部が前記ケース２０２Ａ内に設けられていると共に、一部が前記ケース２０２Ａ外に前記マッサージ装置本体２０２とは独立して設けられている。そして、前記供給手段２２７は、ポンプ２２８と、一端１２９Ａがこのポンプ２２８の吐出部２２８Ｂに接続される本体外一次通路１２９と、一端１３０Ａがこの本体外一次通路１２９の他端１２９Ｂに接続される本体内一次通路１３０と、この本体内一次通路１３０の他端１３０Ｂが接続される液体Ｌの収容部２３１と、一端１３２Ａが前記収容部２３１に接続されると共に他端１３２Ｂが前記マッサージ装置本体２０２の底板２０９に形成された貫通孔２０９Ａに接続される本体内二次通路１３２と、一端１３３Ａが前記貫通孔２０９Ａに対して着脱自在に接続されると共に、他端１３３Ｂが前記出口開口２２６に固定されている、可撓性を有する吐出通路１３３とで構成されている。そして、前記本体外一次通路１２９と本体内一次通路１３０とで一次通路１３４が構成されていると共に、前記本体内二次通路１３２と吐出通路１３３とで二次通路１３５が構成されている。これによって、前記ポンプ２２８から一次通路１３４、収容部２３１、二次通路１３５を経て前記出口開口２２６に至る経路が形成される。そして、前記ポンプ２２８の作動部２３６は、モータ１３７の回転軸に接続されており、このモータ１３７には、制御回路２３８を介して電池や商用電源などの電源１３９が接続されている。なお、前記ポンプ２２８、本体外一次通路１２９の一部、モータ１３７、制御回路２３８及び電源１３９は、前記ケース２０２Ａとは別体のケース２４０に収容されている。また、前記制御回路２３８には操作部２４１が接続されていると共に、この操作部２４１は、前記ケース２４０上に設けられている。一方、前記本体内一次通路１３０、収容部２３１及び本体内二次通路１３２は、前記ケース２０２Ａ内に設けられている。そして、前記本体外一次通路１２９の途中には、定圧弁１４２が設けられている。また、前記収容部２３１は、前記ケース２０２Ａの上面側に開口して設けられ、この開口部に蓋２３１Ａが液密且つ気密に取り付けられていることで内部を加圧状態にすることが可能である。また、前記収容部２３１の側部には、入口接続部２３１Ｂが形成されており、この入口接続部２３１Ｂに、前記本体内一次通路１３０の他端１３０Ｂが接続されていると共に、前記収容部２３１の底部に出口接続部２３１Ｃが形成されており、この出口接続部２３１Ｃに、前記本体内二次通路１３２の一端１３２Ａが接続されている。また、前記本体内二次通路１３２の途中には、電磁弁１４３が設けられている。なお、前記吐出通路１３３の他端１３３Ｂは、複数形成された前記出口開口２２６のそれぞれに固定されるように、複数に分岐している。
【００５０】
そして、前記第一の突起２０５に形成された前記入口開口２２５には、回収手段２４４が接続されている。この回収手段２４４は、その一部が前記ケース２０２Ａ内に設けられていると共に、一部が前記ケース２０２Ａ外に前記マッサージ装置本体２０２とは独立して設けられている。なお、本例では、前記回収手段２４４の一部は、前記ケース２４０内に設けられている。そして、前記回収手段２４４は、一端２４５Ａが前記入口開口２２５に固定されると共に、他端２４５Ｂが前記マッサージ装置本体２０２の底板２０９に形成された貫通孔２０９Ｂに対して着脱自在に接続される可撓性を有する吸引通路２４５と、一端２４６Ａが前記貫通孔２０９Ｂに接続される本体内三次通路２４６と、一端２４７Ａが前記本体内三次通路２４６の他端２４６Ｂに対して着脱自在に接続される本体外三次通路２４７と、この本体外三次通路２４７の他端２４７Ｂが接続される回収容器２４８と、一端２４９Ａがこの回収容器２４８に接続されると共に他端２４９Ｂが前記ポンプ２２８の吸引部２２８Ａに接続される四次通路２４９と、前記ポンプ２２８とで構成されている。そして、前記吸引通路２４５と本体内三次通路２４６と本体外三次通路２４７とで三次通路２５０が構成されている。これによって、前記入口開口２２５から三次通路２５０、回収容器２４８、四次通路２４９を経て前記ポンプ２２８に至る経路が形成される。なお、このポンプ２２８は、前記供給手段２２７と回収手段２４４の両方に含まれており、従って、前記ポンプ２２８のモータ１３７を駆動制御するための制御回路２３８、電源１３９及び操作部２４１も前記供給手段２２７と回収手段２４４の両方に含まれる。そして、前記本体外三次通路２４７の一部、回収容器２４８の一部、四次通路２４９は、前記ケース２４０に収容されている。一方、前記本体内三次通路２４６は、前記ケース２０２Ａ内に設けられている。そして、前記四次通路２４９の途中には、切換弁２５１が設けられている。なお、前記回収容器２４８は、容器本体２４８Ａと蓋２４８Ｂとで構成されており、前記容器本体２４８Ａの開口部に蓋２４８Ｂを液密且つ気密に取り付けることで、内部を減圧状態にすることが可能であると共に、前記蓋２４８Ｂに入口接続部２４８Ｃ及び出口接続部２４８Ｄが設けられており、前記入口接続部２４８Ｃには、前記本体外三次通路２４７の他端２４７Ｂが接続され、前記出口接続部２４８Ｄには、前記四次通路２４９の一端２４９Ａが接続されている。また、前記吸引通路２４５の一端２４５Ａは、複数形成された前記入口開口２２５のそれぞれに固定されるように、複数に分岐している。
【００５１】
なお、前記本体外一次通路１２９の他端１２９Ｂ及び前記本体外三次通路２４７の一端２４７Ａは、それぞれ接続部２５２に固定されていると共に、前記本体内一次通路１３０の一端１３０Ａ及び前記本体内三次通路２４６の他端２４６Ｂは、それぞれ接続受部２５３に固定されている。そして、前記接続部２５２は前記接続受部２５３に対して着脱自在に接続される。そして、前記接続部２５２を前記接続受部２５３に接続した際に、前記本体外一次通路１２９の他端１２９Ｂと前記本体内一次通路１３０の一端１３０Ａとが連通すると共に、前記本体外三次通路２４７の一端２４７Ａと前記本体内三次通路２４６の他端２４６Ｂとが連通する。なお、２５４は外気通路である。
【００５２】
次に、上記構成について、その作用を説明する。頭皮Ｓのマッサージを行ったり揉み出し洗いを行ったりする場合、まず使用者は、前記蓋２３１Ａを取り外して前記収容部２３１内に液体Ｌを収容した後、前記蓋２３１Ａを再び取り付ける。そして、前記フック受け部２０４Ｂとフック１７Ａとを接続し、更には前記基板２０４の縁２０４Ａを前記枠体２０８に嵌合させて図７に示すように取り付ける。また、前記回収容器２４８の容器本体２４８Ａを、前記ケース２４０に設けられた蓋２４８Ｂに取り付けると共に、前記接続部２５２を前記接続受部２５３に接続する。更に、前記マッサージ装置本体２０２を把持し、前記第一及び第二の突起２０５，２０６の先端部を前記頭皮Ｓに押し当てて手で保持する。そして、前記スイッチ１９を閉成すると、前記電池１８から電力が給電されることで、前記モータ１３が作動して前記モータ軸１３Ａが回転する。そして、このモータ軸１３Ａの回転に伴い、このモータ軸１３Ａに前記減速歯車機構１１４を介して接続された前記クランク機構１５が回転し、このクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板２０４は、前記接続中継部材１７に接続された前記フック受け部２０４Ｂ、即ち、前記基板２０４の中央が最大振幅箇所となるように、下に撓んだ湾曲凸状態と上に撓んだ湾曲凹状態との間で変形を繰り返し、その前記最大振幅個所における振幅は、前記クランク機構１５の中心軸から偏心軸１５Ａまでの偏心距離Ｆの２倍（２Ｆ）となる。これにより、主として前記第一の突起２０５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起２０７は、前記基板４の撓みによって、前記頭皮Ｓに対して当接と離間を繰り返すことで、前記頭皮Ｓを軽く叩くようにしてマッサージを行うことができる。
【００５３】
そして、使用者が前記操作部２４１を操作したことで前記ポンプ２２８が作動している場合、このように頭皮Ｓのマッサージ或いは揉み出し洗いを行っている間、前記ポンプ２２８の吐出部２２８Ｂから前記本体外一次通路１２９及び本体内一次通路１３０を経て、圧縮空気が前記収容部２３１内に送られる。そして、前記収容部２３１内が所定の圧力に達すると、前記定圧弁１４２によって圧縮空気が大気中に排出されることで、前記収容部２３１内が所定の圧力に保たれる。そして、前記スイッチ１９Ａを操作して前記電磁弁１４３を作動させ、前記本体内二次通路１３２を連通させることで、前記収容部２３１内の液体Ｌが圧縮空気によって前記出口接続部２３１Ｃから押し出され、前記二次通路１３５を経て前記出口開口２２６から頭皮Ｓに供給される。このように、前記出口開口２２６より頭皮Ｓに向けて液体Ｌを供給することで、頭皮Ｓを液体Ｌを用いてマッサージしたり揉み出し洗いしたりすることができる。なお、液体Ｌの頭皮Ｓへの供給が不要な場合、前記スイッチ１９Ａを全く操作しない、或いは一度操作された前記スイッチ１９Ａを再度操作することで、前記電磁弁１４３が前記本体内二次通路１３２を遮断した状態とすればよい。
【００５４】
一方、前記ポンプ２２８が作動している場合、このように頭皮Ｓのマッサージ或いは揉み出し洗いを行っている間、前記入口開口２２５から前記三次通路２５０、回収容器２４８、四次通路２４９を経て前記ポンプ２２８の吸引部２２８Ａに外気が吸引される。この際、前記入口開口２２５が前記第一の突起２０５の先端２２１寄りに形成されていることで、前記入口開口２２５が頭皮Ｓに接すると、頭皮Ｓが吸引されることになるので、頭皮Ｓに揉みとは異なったマッサージ効果を与えることができる。また、余分な液体Ｌ、或いはこの液体Ｌ以外で髪や頭皮Ｓを濡らしている水等の液体Ｌ´が、前記入口開口２２５から吸引される。そして、前記入口開口２２５から吸引された液体Ｌ或いはＬ´は、前記三次通路２５０を経て前記入口接続部２４８Ｃから前記回収容器２４８内に吸引され、この回収容器２４８内に溜められる。一方、前記回収容器２４８内で液体Ｌ、Ｌ´が分離された気流は、前記出口接続部２４８Ｄから前記四次通路２４９を経て前記ポンプ２２８の吸引部２２８Ａに吸引される。なお、この吸引によるマッサージ効果、或いは液体Ｌ，Ｌ´の回収が不要な場合は、前記操作部２４１を操作して前記切替弁２５１を作動させることで、吸入経路を切り換える。このように、吸入経路を切り換えることで、前記入口開口２２５からではなく、前記外気通路２５４から外気が吸引されることになるので、前記入口開口２２５が頭皮Ｓに接したとしても、頭皮Ｓが吸引されないので、吸引によるマッサージ効果が頭皮Ｓに与えられないと共に、前記入口開口２２５から液体Ｌ，Ｌ´も吸引されない。
【００５５】
更に、本実施例では、前記供給手段２２７の一部が前記ケース２０２Ａの外側に別体に設けられているので、前記マッサージ装置本体２０２、即ち使用者が把持する部分の大型化を極量抑えることができるばかりでなく、前記マッサージ装置本体２０２の大きさ等によって制限を受けることなく、前記供給手段２２７及び回収手段２４４の能力を任意に設定することができる。
【００５６】
なお、前記第二の突起２０６は、前記基板２０４の外周付近で且つ楕円形状の前記基板２０４における長軸方向の両側に形成されているので、前記基板２０４が撓んだとしても、多少揺動する程度で殆ど動かない。しかしながら、この殆ど動かない第二の突起２０６自体はマッサージを殆ど行わないものの、この第二の突起２０６によって前記マッサージ装置本体２０２と頭皮Ｓとの間隔が保たれることになり、前記施療部２０３を頭皮Ｓに必要以上に強く押し当ててしまうことが防止される。そして、前記施療部２０３を頭皮Ｓに必要以上に強く押し当ててしまうと、前記基板２０４の撓みによる前記第一の突起２０５の起倒に伴う反作用によって、前記マッサージ装置本体２０２、ひいてはそれを持つ使用者の手が前記中心軸線Ｘ方向に大きく振動したり、逆に前記施療部２０３が押し当てられた頭が大きく揺さぶられたりすることになり、前記第一の突起２０５によるマッサージが良好に行われないが、前記第二の突起２０６によって前記マッサージ装置本体２０２と頭皮Ｓとの間隔が保たれることで、前記施療部２０３が頭皮Ｓに対して必要以上に強く押し当てられず、前記マッサージ装置本体２を持つ使用者の手及び前記施療部２０３が押し当てられた頭が大きく揺さぶられることがないので、前記第一の突起２０５によるマッサージが良好に行われることになる。
【００５７】
そして、前記基板２０４が湾曲凸状態から湾曲凹状態に撓むことで、前記第一の突起２０５が頭皮Ｓに当接した状態で内側に倒れることになり、前記第一の突起２０５によって前記頭皮Ｓが掴まれるようにマッサージされると同時に、前記液体Ｌがシャンプーである場合、前記頭皮Ｓのみならず髪（図示せず）も洗浄されることになる。この際、前記第一の突起２０５の前記中心軸線Ｘに対向する対向面２２０が、その先端２２１側を先細に形成すると共に基端２２２側を次第に幅大に形成したほぼ三角形状に形成されていることにより、湾曲凸状態では、前記対向面２２０の先端２２１よりもやや基端２２２寄りの部分が前記頭皮Ｓに柔らかく当たり、それから湾曲凹状態に向かって変形するに従って、順次幅狭になる先端２２１側が頭皮Ｓに当たるようになるので、指先で揉むような指圧法のマッサージを行うことができる。更に、前記第一の突起２０５は、その基端２２２側よりも先端２２１側が前記中心軸線Ｘから離間するように湾曲凸状に後退していることにより、前記第一の突起２０５が内側方向に傾斜したり起立したりして前記頭皮Ｓと接触する際に、前記対向面２２０が、その基端２２２側から先端２２１側にかけて頭皮Ｓを滑るように揉むことができる。また、前記第一の突起２０５は、前記中心軸線Ｘを中心として相互に対向するように複数間隔をおいて設けられていることにより、対向する前記第一の突起２０５Ａ，２０５Ｂ相互間での揉み作用もなすことができる。更に、逆に前記基板４が湾曲凹状態から湾曲凸状態に撓む場合でも、前記第一の突起２０５によって指先のような柔らかいマッサージを行うことができる。
【００５８】
以上のように、本実施例では、実施例１及び２の効果の他に、頭皮Ｓに供給された液体Ｌを前記入口開口２２５から回収手段２２７によって回収することで、多すぎる液体Ｌが顔等に流れ落ちるのを防止することができるばかりでなく、前記入口開口２２５によって頭皮Ｓが吸引されることで、頭皮Ｓに揉みとは異なったマッサージ効果を与えることができる。
【００５９】
なお、本発明のマッサージ装置は、以上の実施例に限定されるものではなく、発明の要旨の範囲内で種々の変形実施が可能である。例えば、出口開口を基板ではなく、何れかの突起に設けてもよい。また、入口開口も第一の突起ではなく、他の突起に設けてもよい。
【産業上の利用可能性】
【００６０】
以上のように本発明に係るマッサージ装置は、各種の用途に適用できる。
【図面の簡単な説明】
【００６１】
【図１】本発明の実施例１を示す断面図である。
【図２】本発明の実施例１を示す斜視図である。
【図３】本発明の実施例１を示す分解斜視図である。
【図４】本発明の実施例１を示す湾曲凸状態の基板まわりの断面図である。
【図５】本発明の実施例１を示す湾曲凹状態の基板まわりの断面図である。
【図６】本発明の実施例２を示す断面図であり、（Ａ）はマッサージ装置本体、（Ｂ）はマッサージ装置本体とは別体となる供給手段の一部である。
【図７】本発明の実施例２を示す概略図である。
【図８】本発明の実施例３を示す断面図であり、（Ａ）はマッサージ装置本体、（Ｂ）はマッサージ装置本体とは別体となる供給手段及び回収手段の一部である。
【図９】本発明の実施例３を示す斜視図である。
【図１０】本発明の実施例３を示す概略図である。
【符号の説明】
【００６２】
１，１０１，２０１  マッサージ装置
２，１０２，２０２  マッサージ装置本体（駆動部）
２Ａ，１０２Ａ，２０２Ａ  ケース
３，２０３  施療部
４，２０４  基板
４Ａ，２０４Ａ  周縁
５，２０５  第一の突起（突起）
６，２０６  第二の突起（突起）
７，２０７  第三の突起（突起）
８，２０８  枠体
１２，１１２  往復駆動手段
１３  モータ（駆動源）
２６，２２６  出口開口
２７，１２７，２２７  供給手段
２８，１３１，２３１  収容部
２９，１３４  一次通路
３０，１２８，２２８  ポンプ
３３，１３５  二次通路
２２５  入口開口
２４４  回収手段
Ｌ  マッサージ剤
【図１】
2009028173.tif 000003
【図２】
2009028173.tif 000004
【図３】
2009028173.tif 000005
【図４】
2009028173.tif 000006
【図５】
2009028173.tif 000007
【図６】
2009028173.tif 000008
【図７】
2009028173.tif 000009
【図８】
2009028173.tif 000010
【図９】
2009028173.tif 000011
【図１０】
2009028173.tif 000012